(57)【要約】【課題】  裏紙にコピーを行う場合には、細線等も安定して画像形成ができ、ユーザのコスト削減の要求に答えることができる画像形成装置を提供する。【解決手段】  記録媒体Ｐの画像形成しようとする面と反対の面に画像がすでに形成されていることを認識することができる裏紙認識装置６４、６５、及び複数の解像度で潜像担持体９上に潜像を形成するための潜像形成手段１７を有する画像形成装置において、前記裏紙認識装置６４、６５は、前記記録媒体Ｐの前記反対の面に画像が形成されていると判断された場合に、前記潜像担持体９上の潜像を低い解像度に設定する。【選択図】  図２
2007034033.tif 000002
【特許請求の範囲】
【請求項１】
画像形成しようとする記録媒体の面と反対の面に画像がすでに形成されていることを認識する裏紙認識装置と、異なった複数の解像度で潜像担持体上に潜像を形成する潜像形成手段と、制御手段と、を有する画像形成装置において、前記制御手段は、前記裏紙認識装置が前記記録媒体の反対面に画像が形成されていると判断した場合に、前記潜像担持体上の潜像を低い解像度に設定することを特徴とする画像形成装置。
【請求項２】
前記潜像形成手段が前記潜像担持体上に潜像を形成する際の最も高い解像度は１０００ｄｐｉ以上であることを特徴とする請求項１記載の画像形成装置。
【請求項３】
前記制御手段は、前記裏紙認識装置が前記記録媒体の反対面に画像が形成されていると判断した場合に、前記潜像担持体上の潜像を３５０〜７００ｄｐｉの解像度に設定することを特徴とする請求項１または２記載の画像形成装置。
【請求項４】
画像形成しようとする記録媒体の面と反対の面に画像がすでに形成されていることを認識する裏紙認識装置と、異なった複数の解像度で潜像担持体上に潜像を形成する潜像形成手段と、制御手段と、を有する画像形成装置において、前記制御手段は、前記裏紙認識装置が前記記録媒体の反対面に画像が形成されていると判断した場合に、各色用の潜像を低い解像度に設定することを特徴とする画像形成装置。
【請求項５】
前記潜像形成手段が前記潜像担持体上に各色用の潜像を形成する際の最も高い解像度は１０００ｄｐｉ以上であることを特徴とする請求項４記載の画像形成装置。
【請求項６】
前記制御手段は、前記裏紙認識装置が前記記録媒体の反対面に画像が形成されていると判断した場合に、各色用の潜像を３００〜６５０ｄｐｉ以下の解像度に設定することを特徴とする請求項４または５記載の画像形成装置。
【発明の詳細な説明】
【技術分野】
【０００１】
本発明は、片面に印刷済みの記録媒体の裏面側を再利用して画像形成するさいに画質を安定させることができる複写機、プリンタ、ファクシミリ等の電子写真プロセスを用いた画像形成装置に関するものである。
【背景技術】
【０００２】
従来、ＰＣ（パーソナルコンピュータ）の発展と普及に伴い、電子写真装置により形成されるカラー画像の高画質化の要求が非常に強くなってきている。例えば、デジタルカメラやスキャナによってカラー画像を取り込んだ資料はごく普通に使われており、グラフのプロットエリアをハーフトーンのカラーとすることは当たり前に行われてきている（例えば、特許文献１乃至３参照）。
また、ビジネスユースで提出する資料や、公式の場でのプレゼンテーション資料に含まれる画像は、書かれている内容もさることながら、資料としての見やすさや見た目の美しさなどの第一印象が重要であるため、高精細、高解像度のカラーの画像形成を安定して行う必要がある。
また、画像形成装置を使用するユーザは、高画質の画像形成を要求する反面、画像形成におけるコストを低く抑えようとする思いは強く、とくにトナーや記録媒体に安価な製品や、一度使用したものの再利用を積極的に行っている。
例えば、記録媒体の場合には、片面に画像形成した画像が不要になったら、画像形成を行っていない別の面に画像形成を行って、記録媒体の購入量を半分にしようとすることは、一般に行われている。
このように片面に画像形成した記録媒体を再利用する場合（裏紙コピー）には、新たに画像形成した裏面から既に画像形成された面の画像が一部透けて見えてしまうため、高画質のカラーの画像形成を行ってもきれいな画像として扱いづらい。しかし、これらの裏紙画像も社内での打ち合わせ資料や、社外に持ち出さない資料用としては何の問題もなく、むしろ圧倒的に裏紙コピーの比率が高いユーザも多い。
【０００３】
ところで、画像形成装置メーカーは、１０００ｄｐｉ以上の高解像度での画像形成では専用の記録媒体に対してのみ画像品質を保証している場合が多い。したがって、１０００ｄｐｉ以上の高解像度で裏紙コピーを行おうとした場合、裏紙の画像形成が行われている場所と画像形成が行われていない場所に掛かるように裏紙面に細線が画像形成される。
かかる場合には、潜像担持体上のトナーを裏紙へ転写するさいに、裏紙の画像形成が行われている場所と画像形成が行われていない場所の裏紙の抵抗が異なるため、細線がかすれて転写されたり、裏紙の画像形成が行われている場所と画像形成が行われていない場所の裏紙の熱容量が異なるため、画像が劣化してしまう問題が生じていた。
画像形成装置メーカーは、記録媒体の使用量の削減とコスト削減をアピールして記録媒体の両面に高画質の画像形成を行うことができる画像形成装置を提供してきた。しかし、両面に画像形成を行うことができる専用記録媒体はメーカーの推奨と言う形で、暗に制限している。
推奨している記録媒体は両面画像形成を行っても高画質の画像形成が行えるように、秤量を大きくしたり、平滑度が高い高価なものであり、両面印刷を行っても、ユーザが望むコスト削減には到らなかった。
このような要求に応えるために種々の技術が提案されている。例えば、特許文献１及び３では、記録媒体（用紙）の表面あるいは裏面に既に印刷されているか否かを検知する印刷面検知手段を有し、印刷されていない面に画像形成を行う画像形成装置を開示している。
【０００４】
また、特許文献２では、記録媒体（用紙）に両面の印刷状態を識別するための検知パターンを設けて印刷されていない面に画像形成を行う画像形成装置が開示されている。さらに、特許文献２では、片面が既に印刷されている面であるかどうかを検知する手段を有し、印刷されていない面のみを印刷するようにする技術が開示されている。
さらに、通常の画像システムとは異なる廃トナーを再利用する現像システムを有し、画像形成しようとした記録媒体が裏紙であると認識されると、廃トナーを再利用する現像システムで画像形成を行う画像形成装置も研究されている。
裏紙コピーを行う関連技術としては、上述したように、例えば、特許文献１及び３には記録媒体の表面あるいは裏面に既に印刷されているか否かを検知する印刷面検知手段を有し、印刷されていない面に画像形成を行う画像形成装置が開示されているが、印刷されている面に新たな印刷をすることを防止するためのものであり、裏紙に安定に画像形成を行おうとするものではない。
また、特許文献２には、記録媒体に両面の印刷状態を識別するための検知パターンを設けて印刷されていない面に画像形成を行う画像形成装置が開示されているが、前述と同じように印刷されている面に新たな印刷をすることを防止するためのものであり、裏紙に安定に画像形成を行おうとするものではなかった。
【特許文献１】特開５−２９７６６０号公報
【特許文献２】特開２００２−３２３８３０公報
【特許文献３】特開２００１−５３４１公報
【発明の開示】
【発明が解決しようとする課題】
【０００５】
本発明者らが、ユーザが裏紙コピーを行う場合、どのような画像形成を望むか調査したところ、裏紙コピーでは最高画質の画像形成ができないことはある程度承知しており、高画質の画像形成を行う場合には、メーカーの推奨する記録媒体を使用するべきことを大多数のユーザは承知していた。
むしろ、裏紙コピーを行う画像は、外部に持ち出すことのない伝票類、説明資料等や、高画質の画像形成を行う前の誤字脱字やレイアウトのチェック用であり、ほとんどが伝票類、説明資料であることが分かった。
このような画像では、細部にわたる画像の鮮明さや美しさは必要とされないが、画像形成される内容が配布された相手に正確に伝わることが要求される。そのため、かすれ等のない安定した画像形成が強く求められていることが分かった。
本発明者らは、裏紙コピーを行う場合にも、ユーザが望む画像形成ができるように鋭意検討を行ったところ、裏紙コピーを行う場合には、感光体へ書き込む画像の解像度を最高画質の解像度とせず、７００ｄｐｉ以下の低い解像度にすれば、細線等もかすれることなく画像形成を行うことができ、ユーザが要求する安定した画像形成が可能であることを見出した。
しかし、ユーザには、裏紙コピーを行う場合には、その都度低解像度の設定を行って貰えれば良いのであるが、最高画質の画像形成が可能である画像形成装置であれば、裏紙コピーを行う場合にも、最高画質の画像形成の設定を選択してしまう。このため、ユーザではなく画像形成装置が、画像形成を行なおうとする記録媒体が裏紙かどうかを識別し、最適な設定を行う必要があることの結論を得た。
そこで、本発明の目的は、上述した実情を考慮して、裏紙にコピーを行う場合には、細線等も安定して画像形成ができ、ユーザのコスト削減の要求に答えることができる画像形成装置を提供することにある。
【課題を解決するための手段】
【０００６】
上記の課題を解決するために、請求項１に記載の発明は、記録媒体の画像形成しようとする面と反対の面に画像がすでに形成されていることを認識することができる裏紙認識装置、及び複数の解像度で潜像担持体上に潜像を形成するための潜像形成手段を有する画像形成装置において、前記裏紙認識装置は、前記記録媒体の前記反対の面に画像が形成されていると判断された場合に、前記潜像担持体上の潜像を低い解像度に設定する画像形成装置を特徴とする。
また、請求項２に記載の発明は、前記潜像担持体上に潜像を形成できる最も高い解像度が１０００ｄｐｉ以上である請求項１記載の画像形成装置を特徴とする。
また、請求項３に記載の発明は、前記裏紙認識装置は、前記反対の面に画像が形成されていると判断された場合に、前記潜像担持体上の潜像を３５０〜７００ｄｐｉの解像度に設定する請求項１または２記載の画像形成装置を特徴とする。
また、請求項４に記載の発明は、記録媒体の画像形成しようとする面と反対の面に画像がすでに形成されていることを認識することができる裏紙認識装置、及び複数の潜像を担持する潜像担持体上に各色用の潜像を複数の解像度で形成するための潜像形成手段を有する画像形成装置において、前記裏紙認識装置は、前記反対の面に画像が形成されていると判断された場合に、各色用の潜像を低い解像度に設定する画像形成装置を特徴とする。
また、請求項５に記載の発明は、前記潜像担持体上に各色用の潜像を形成できる最も高い解像度が１０００ｄｐｉ以上である請求項４記載の画像形成装置を特徴とする。
また、請求項６に記載の発明は、前記裏紙認識装置が、前記反対の面に画像が形成されていると判断された場合に、各色用の潜像を３００〜６５０ｄｐｉ以下の解像度に設定する請求項４または５記載の画像形成装置を特徴とする。
【発明の効果】
【０００７】
本発明によれば、裏紙コピーを行っても、ユーザの要求する安定した、画像のかすれのない画像形成が可能となり、裏紙を用いることでユーザにコスト削減、環境保護を満足させる画像形成装置を提供することができる。
【発明を実施するための最良の形態】
【０００８】
以下、図面を参照して、本発明の実施の形態を詳細に説明する。なお、以下の説明はこの発明の最良の形態の例であって、いわゆる当業者は特許請求の範囲内で変更・修正をして他の実施の形態をなすことは容易であり、以下の説明が特許請求の範囲を限定するものではない。
図１は本発明を適用した画像形成装置の画像形成部を示す概略図である。画像形成装置は複写機、ファクシミリ、プリンタ等、周知のものであれば何れでもよいが、本実施の形態における画像形成装置はプリンタである。
画像形成装置（画像形成部）１は、矢印Ｃ方向に回転駆動される円筒状に形成された像担持体としての感光体ドラム（以下、「感光体」という。）３と、この感光体３を帯電する帯電手段としてのスコロトロン方式の帯電装置６０と、帯電後の感光体３に画像信号に応じた潜像を形成するレーザ光１７を発して光走査を行う露光手段としてのレーザ走査光学系またはＬＥＤ光書き込み光学系を用いた図示しない露光装置と、露光後の感光体３上の潜像を現像する現像手段としての現像装置６１とを有している。
画像形成装置１は、また、感光体３に対向して配置され現像装置６１による現像によって得られた感光体３上のトナー像を転写紙に転写する転写手段でありかつ感光体３からトナー像を転写された転写紙を搬送する搬送装置である転写搬送装置１０と、転写後の記録媒体を感光体３から強制的に分離する分離爪１３とを有している。
画像形成装置１には、さらに、この転写搬送装置１０による転写前の除電を行う転写前除電ランプ１２と、転写後の感光体３をクリーニングするクリーニングブレード方式のクリーニング手段としてのクリーニング装置６２と、帯電装置６０で帯電を行う前に感光体３の除電を行う除電手段としての光照射方式の除電装置６３とを有している。
画像形成装置１は、また、記録媒体（記録紙）を積載している図示しない給紙トレイと、給紙トレイに積載した記録媒体を感光体３と転写搬送装置１０との対向部に向けて送り出す給紙手段としての図示しない給紙ローラと、給紙ローラによって給紙トレイから送られてきた記録媒体（転写紙）を所定のタイミングで感光体３と転写搬送装置１０との対向部に搬送するレジストローラ１１とを有している。
画像形成装置１は、さらに、転写搬送装置１０により感光体３上のトナー像を転写された記録媒体に、かかるトナー像の定着を行う定着手段としての定着ユニットである定着装置２５を有している。
現像装置６１に備えられた現像ローラ６１ａ、転写搬送装置１０に備えられ感光体３からトナー像を転写された記録媒体を搬送する記録媒体搬送ベルトとしての転写ベルト７は、Ｄ方向及びＡ方向にそれぞれ回転する。Ｄ方向及びＡ方向は何れも感光体３との対向位置においてＣ方向と同じ方向に移動する方向である。図１において、定着装置２５は加熱ローラ２５ａ及び回転圧ローラ２５ｂからなっている。
クリーニング装置６２は、Ｃ方向における感光体３と転写搬送装置１０との対向部の下流側で感光体３に対向して配置されており、クリーニングブレードとしてのブレード６２ａにより転写後の感光体３の表面に残留付着しているトナーや、微細な紙粉などを除去するものである。帯電手段６０としては、帯電ローラ、帯電ブラシ等を用いることができる。画像形成方式としては、露光装置が原稿像を直接露光するものであってもよい。
【０００９】
現像装置６１は粒径５０μｍのキャリアと粒径６.５μｍのトナーとを有する２成分現像剤により現像を行うものであり、感光体３はかかる現像剤で現像されることでトナー像を担持するようになっている。
現像ローラ６１ａを構成する図示しない現像スリーブは径Φが２０ｍｍとされており、図示しない電圧印加手段により−５５０Ｖの現像バイアスが印加されている。
画像形成装置１は、潜像形成手段（露光手段）１７の最大の解像度が１０００ｄｐｉ以上、好ましくは１２００ｄｐｉ以上、さらに好ましくは１４００〜４００００ｄｐｉのときに本発明の効果が高い。
１０００ｄｐｉ以上であれば、何も画像形成されてない紙や、推奨紙での高解像度の画像形成が可能であり、裏紙コピーを行う場合においても、画像のかすれのない安定したモノクロ画像形成が可能となる。
潜像形成手段１７の最大の解像度が１０００ｄｐｉ未満の場合は、裏紙コピーを行っても、画像としてそれほど問題になることが少ないため、必ずしも本発明の構成にしなくても良い。
本発明の画像形成装置１では、裏紙認識装置が画像形成を行なおうとする記録媒体を裏紙（片面に記録済みの用紙）であると認識した場合には、潜像形成手段の解像度は３５０〜７００ｄｐｉ、好ましくは３７５〜６５０ｄｐｉ以下、さらに好ましくは４００〜６００ｄｐｉに設定される。この設定によれば、裏紙コピーを行う場合においても、画像のかすれのない安定したモノクロ画像形成が可能となる。
潜像形成手段１７の解像度が７００ｄｐｉより大きい場合には、裏紙コピーを行ったときに、とくに細線のかすれが発生し易いなど画像品質が安定しないため好ましくない。３５０ｄｐｉ以下では、解像度が低すぎるため、ユーザに受け入れてもらうことが難しい。
【００１０】
図２は本発明による画像形成装置の裏紙認識装置を示す概略斜視図である。裏紙認識装置６４、６５は光学的手段、物理的手段、電気的手段等により、印刷しようとする記録媒体の反対側の面に画像があるかどうかを検出する装置である。この裏紙認識装置は、例えば、給紙装置から画像形成部に至る搬送経路の途中に配置する。なお、以下の各種制御は図示しない制御手段（ＣＰＵ）が実現するものである。
図２の本発明の実施の形態では光学的手段を用いている。画像形成を行う記録媒体（紙）Ｐの裏面に光源６４からの光を斜めから照射し、裏面濃度検出ＣＣＤ６５で裏面の濃度を検出し、閾値以上の濃度であれば、画像形成しようとする記録媒体Ｐは裏紙と認識することができる。
この裏紙認識装置６４、６５は、画像形成を行おうとする記録媒体Ｐを裏紙であると認識した場合には、潜像形成手段の解像度を低くして画像形成を行うかどうかをユーザに確認してもらうために、画像形成の設定についての問い掛けを画像形成装置１の操作パネル（図示せず）にその旨の表示や音声によって行なう。
また、画像形成装置１がプリンタの場合には、画像形成の命令を行ったホストマシンであるパーソナルコンピュータ画面を介して、ユーザに画像形成の設定についての同様の問い掛けを行い判断してもらう。
また、ユーザが低解像度の画像印刷の設定、印刷する画像の情報、記録媒体の情報から自動的に最適な画像形成の設定を予め選択する自動選択モードを選定しているならば、裏紙認識装置６４、６５が画像形成を行おうとする記録媒体を裏紙と認識した場合に、自動的に潜像形成手段の解像度を低くして画像形成を行うようにするのが、ユーザの手間もなく、安定して画像形成を行うことができるために、好ましい。
本発明の画像形成装置１における裏紙認識装置６４、６５は、画像形成を行う記録媒体毎に検査することが基本である。しかし、例えば、ユーザが複数枚の画像形成を同時に行おうとし、その画像形成で最初に印刷しようとした記録媒体を裏紙と認識した場合には、連続して潜像形成手段の解像度を低くして画像形成を行うようにすることが好ましい。
図１では、単色の画像形成装置を例示したが、現像装置６１を感光体３の周辺に複数配置し、中間転写体７に各色のトナー像を転写後、転写搬送装置１０で潜像担持体（記録媒体）へトナー像を転写して定着装置２５へ搬送し、定着して画像形成を行うカラー画像形成の場合においても本発明は裏紙コピーを安定に行うことができるため非常に好ましい。
【００１１】
図３は本発明の画像形成装置の一例であるタンデム型カラー複合機を示す模式図である。このタンデム型画像形成装置は基本的にモノクロ、カラーとも同じ速度で画像形成を行うことができるため大変好ましい。
図中、符号１は画像形成装置（複写装置本体）、２はそれを載せる給紙テーブル、３は複写装置本体１上に取り付けるスキャナ、４はさらにその上に取り付ける自動原稿搬送装置（ＡＤＦ）である。
複写装置本体１には、中央に、無端ベルト状の中間転写体７を設ける。そして、図３に示すとおり、図示例では３つの支持ローラ１４、１５、１６に掛け回して図中時計回りに回転搬送可能とする。
この図示例では、３つのなかで第２の支持ローラ１５の左に、画像転写後に中間転写体７上に残留する残留トナーを除去する中間転写体クリーニング装置１９を設ける。
また、３つのなかで第１の支持ローラ１４と第２の支持ローラ１５間に張り渡した中間転写体７上には、その搬送方向に沿って、ブラック・イエロー・マゼンタ・シアンの４つの画像形成手段１８を横に並べて配置してタンデム画像形成部２０を構成する。
そのタンデム画像形成部２０の上には、図３に示すように、さらに、潜像形成手段（露光装置）２１を設ける。一方、中間転写体７を挟んでタンデム画像形成部２０と反対の側には、２次転写装置２２を備える。
２次転写装置２２は、図示例では、２つのローラ２３間に、無端ベルトである２次転写ベルト２４を掛け渡して構成し、中間転写体７を介して第３の支持ローラ１６に押し当てて配置し、中間転写体７上の画像をシートに転写する。
２次転写装置２２の横には、シート上の転写画像を定着する定着装置２５を設ける。定着装置２５は、無端ベルトである定着ベルト２６に加圧ローラ２７を押し当てて構成する。
上述した２次転写装置２２には、画像転写後のシートをこの定着装置２５へと搬送するシート搬送機能も備えてなる。もちろん、２次転写装置２２として、転写ローラや非接触のチャージャを配置してもよく、そのような場合は、このシート搬送機能を併せて備えることは難しくなる。
なお、図示例では、このような２次転写装置２２及び定着装置２５の下に、上述したタンデム画像形成部２０と平行に、シートの両面に画像を記録すべくシートを反転するシート反転装置２８を備える。
【００１２】
さて、今、このカラー電子写真装置を用いてコピーをとるときは、原稿自動搬送装置４の原稿台３０上に原稿をセットする。または、自動原稿搬送装置４を開いてスキャナ３のコンタクトガラス３２上に原稿をセットし、自動原稿搬送装置４を閉じてそれで押さえる。
そして、図示してないスタートスイッチを押すと、自動原稿搬送装置４に原稿をセットしたときは、原稿を搬送してコンタクトガラス３２上へと移動して後、他方、コンタクトガラス３２上に原稿をセットしたときは、直ちにスキャナ３を駆動し、第１走行体３３及び第２走行体３４を走行する。
そして、第１走行体３３で光源から光を発射するとともに原稿面からの反射光をさらに反射して第２走行体３４に向け、第２走行体３４のミラーで反射して結像レンズ３５を通して読み取りセンサ３６に入れ、原稿内容を読み取る。
また、図示してないスタートスイッチを押すと、同じく図示してない駆動モータで支持ローラ１４、１５、１６の１つを回転駆動して他の２つの支持ローラを従動回転し、中間転写体７を回転搬送する。
同時に、個々の画像形成手段１８でその感光体４０を回転して各感光体４０上にそれぞれ、ブラック・イエロー・マゼンタ・シアンの単色画像を形成する。そして、中間転写体７の搬送とともに、それらの単色画像を順次転写して中間転写体７上に合成カラー画像を形成する。
【００１３】
一方、図示してないスタートスイッチを押すと、給紙テーブル２の給紙ローラ４２の１つを選択回転し、ペーパーバンク４３に多段に備える給紙カセット４４の１つからシートを繰り出し、分離ローラ４５で１枚ずつ分離して給紙路４６に入れ、搬送ローラ４７で搬送して複写機本体１内の給紙路４８に導き、レジストローラ４９に突き当てて止める。
または、給紙ローラ５０を回転して手差しトレイ５１上のシートを繰り出し、分離ローラ５２で１枚ずつ分離して手差し給紙路５３に入れ、同じくレジストローラ４９に突き当てて止める。
そして、中間転写体７上の合成カラー画像にタイミングを合わせてレジストローラ４９を回転し、中間転写体７と２次転写装置２２との間にシートを送り込み、２次転写装置２２で転写してシート上にカラー画像を記録する。
画像転写後のシートは、２次転写装置２２で搬送して定着装置２５へと送り込み、定着装置２５で熱と圧力とを加えて転写画像を定着して後、切り換え爪５５で切り換えて排出ローラ５６で排出し、排紙トレイ５７上にスタックする。
または、切り換え爪５５で切り換えてシート反転装置２８に入れ、そこで反転して再び転写位置へと導き、裏面にも画像を記録して後、排出ローラ５６で排紙トレイ５７上に排出する。
ここでは画像形成面が上になって排紙トレイ５７に搬出される、しかし、図示しないが、排紙トレイ５７に画像を反転して画像形成面を下にする装置を設けておくと、画像の秘匿がより一層高められ好ましい。
一方、画像転写後の中間転写体７は、中間転写体クリーニング装置１９で、画像転写後に中間転写体７上に残留する残留トナーを除去し、タンデム画像形成部２０による再度の画像形成に備える。
レジストローラ４９は一般的には接地されて使用されることが多いが、シートの紙粉除去のためにバイアスを印加することも可能である。一般的に中間転写方式は紙粉が感光体にまで移動しづらいため、紙粉転写を考慮する必要が少なくアースになっていても良い。
また、印加電圧として、ＤＣバイアスが印加されているが、この印加電圧はシートをより均一帯電させるためにＤＣオフセット成分を有するＡＣ電圧を印加して良い。
このようにバイアスを印加したレジストローラ４９を通過した後の紙表面は若干マイナス側に帯電している。よって、中間転写体７からシートへの転写では、レジストローラ４９に電圧を印加しなかった場合に比べて転写条件が変わり転写条件を変更する場合がある。
【００１４】
さて、上述したタンデム画像形成部２０において、個々の画像形成手段１８は、詳しくは図示してないが、例えば、ドラム状の感光体４０のまわりに、帯電装置、現像装置、１次転写装置、感光体クリーニング装置、除電装置などを備えてなる。
図３に示す本発明のタンデム型カラー画像形成装置において、図２に示した裏紙認識装置６４、６５は、基本的に給紙ユニット２内に設けられるが、記録媒体にトナー像が転写されるまでの記録媒体の経路に配置されていても良い。図３に示す本発明のタンデム型カラー画像形成装置の裏紙認識装置は、図示してないが前述と同様の裏紙認識装置が用いられる。
図３に示す本発明のタンデム型カラー画像形成装置においては、裏紙認識装置が画像形成を行おうとする記録媒体を裏紙と認識した場合には、カラー画像形成装置においては、各色のトナー像が重ねられて記録媒体へ転写される際に画像劣化が避けられないため、各色の露光装置の露光の解像度は３００〜６５０ｄｐｉ、好ましくは３５０〜６００ｄｐｉに設定される。これにより、裏紙を用いても、細線のかすれ等が防止でき安定な画像形成を行うことができる。
【００１５】
＜実施例１＞
図示はしないが、片面にＭＳＰゴシック１１ポイントで画像形成されたＡ４文書と何も画像形成されていない記録媒体（Ａ４用紙）を交互に各５枚を重ねて画像形成装置（imagio Neo C240改造機（リコー製、感光体１本、中間転写ベルトを用いたカラー画像形成装置））の給紙ユニットに配置した。
imagio Neo C240改造機の給紙ユニットの記録媒体の出口付近には反射式の裏紙認識装置を配置し、画像形成を行う記録媒体が裏紙と検知された場合に、露光の解像度は自動的に４００ｄｐｉとなるようにした。通常の画像形成での露光の解像度は１２００ｄｐｉとした。
ＰＣより画像形成装置で格子画像（線の太さは０．２５ポイント、色は黒）を１枚ずつ、１０枚画像形成を行った。画像形成された格子画像は、片面に画像形成されている記録媒体も、何も画像形成されていない記録媒体も、かすれは全くなく、高画質の画像が得られた。ただし、何も画像形成されていない記録媒体の格子の線は、片面に画像形成されている記録媒体に比べてやや細かった。
＜比較例１＞
実施例１において裏紙認識装置を作動させない以外は実施例１と同様に画像形成を行った。何も画像形成されていない記録媒体に画像形成された画像は、かすれは全くなかったが、片面に画像形成を行った記録媒体の２枚に縦線の一部にかすれが生じてしまった。
＜実施例２＞
実施例１において、通常の画像形成での露光の解像度は１８００ｄｐｉとする以外は実施例１と同様に画像形成を行った。画像形成された格子画像は、片面に画像形成されている記録媒体も、何も画像形成されていない記録媒体も、かすれは全くなく、高画質の画像が得られた。ただし、何も画像形成されていない記録媒体の格子の線は、片面に画像形成されている記録媒体に比べて細かった。
＜比較例２＞
実施例２において、裏紙認識装置を作動させない以外は実施例１と同様に画像形成を行った。何も画像形成されていない記録媒体に画像形成された画像は、かすれは全くなかったが、片面に画像形成を行った記録媒体の５枚全部に、線全体の約０．５〜３％の部分にかすれが生じてしまった。
【００１６】
＜実施例３＞
実施例１において、画像の線の色をシアンとする以外は実施例１と同様に画像形成を行った。画像形成された格子画像は、片面に画像形成されている記録媒体も、何も画像形成されていない記録媒体も、かすれは全くなく、高画質の画像が得られた。ただし、何も画像形成されていない記録媒体の格子の線は、片面に画像形成されている記録媒体に比べてやや細かった。
＜実施例４＞
実施例１において、画像形成装置にｉｍａｇｉｏ  Ｎｅｏ  Ｃ３２５改造機（リコー製、４本の感光体を用いたタンデム型カラー画像形成装置）を用い、格子画像の横線は黒、縦線はマゼンダ、斜め線はシアンとして実施例１と同様に画像形成を行った。
画像形成装置は、両面画像形成されていない記録媒体の場合の露光の解像度を１２００ｄｐｉ、裏紙裏紙認識装置が裏紙を認識した場合に、各感光体への露光の解像度を４００ｄｐｉとした。裏紙裏紙認識装置は実施例１と同じ反射型を給紙ユニットの記録媒体の出口付近に設置した。
画像形成された画像は、片面に画像形成されている記録媒体も、何も画像形成されていない記録媒体も、かすれは全くなく、高画質の画像が得られた。ただし、何も画像形成されていない記録媒体の格子の線は、片面に画像形成されている紙に比べてやや細かった。
【図面の簡単な説明】
【００１７】
【図１】本発明を適用した画像形成装置を示す概略図である。
【図２】本発明による画像形成装置の裏紙認識装置を示す概略斜視図である。
【図３】本発明の画像形成装置の一例であるタンデム型カラー複合機を示す模式図である。
【符号の説明】
【００１８】
１  画像形成装置（プリンタ、タンデム画像形成装置、複写装置本体）
２  給紙テーブル
３  スキャナ
４  自動原稿搬送装置（ＡＤＦ ）
７  中間転写体（転写ベルト）
９  潜像担持体（感光体）
１７  潜像形成手段（露光装置）
１９  中間転写体クリーニング装置
２０  タンデム画像形成部
２１  潜像形成手段（露光装置）
４０  潜像担持体（感光体）
６４  裏紙認識装置（光源）
６５  裏紙認識装置（裏面濃度検出ＣＣＤ）
Ｐ  記録媒体
【図１】
2007034033.tif 000003
【図２】
2007034033.tif 000004
【図３】
2007034033.tif 000005